(57)【特許請求の範囲】
【請求項１】
剃毛用かみそりのための熱供給要素（１６）であって、
上部誘電体層（１１０）と下部誘電体層（５０）との間に配置された加熱器トラック（４８）を有する加熱器（３４）であって、前記上部誘電体層及び前記下部誘電体層に接合された接着層（１０４）によって前記上部誘電体層と前記下部誘電体層との間に固定されている前記加熱器トラック、および
少なくとも１つの熱センサパッド（６８、７４、７８、及び８４）に熱的に接続された少なくとも１つの熱センサ（７０、７６、８０、８６）を有する電気トラック（５２、５４、５６、５８、６０、６２、６４、及び６６）を備える、熱供給要素。
【請求項２】
前記加熱器（３４）を受容するように構成されたフェースプレート（３０）であって、皮膚接触面（３２）とその反対側の内面（４２）とを有するフェースプレートを更に備える、請求項１に記載の熱供給要素（１６）。
【請求項３】
前記上部誘電体層（１１０）又は前記下部誘電体層（５０）は、ポリイミド、ポリテトラフルオロエチレン、ポリ塩化ビニル、ポリエステル、又はポリエチレンテレフタレートを含む、請求項１又は２に記載の熱供給要素（１６）。
【請求項４】
前記少なくとも１つの熱センサパッド（６８、７４、７８及び８４）が、０．３ｍｍ２の最小表面積を有する、請求項１に記載の熱供給要素（１６）。
【請求項５】
前記熱センサ（７０、７６、８０、８６）が、０．０５ｍｍ〜０．１０ｍｍの距離だけ前記加熱器トラック（４８）から離間されている、請求項４に記載の熱供給要素（１６）。
【請求項６】
前記加熱器（３４）は、前記加熱器トラック（４８）が０．０５ｍｍ〜０．０９ｍｍの幅で形成された第１の領域（９６ａ、９６ｂ）と、前記加熱器トラック（４８）が０．１０ｍｍ〜０．２ｍｍの幅で形成された第２の領域とを有する、請求項１〜５のいずれか１項に記載の熱供給要素（１６）。
【請求項７】
前記熱センサ（７０、７６、８０、８６）のうちの少なくとも１つが、前記第１の領域（９６ａ、９６ｂ）に隣接して配置されている、請求項６に記載の熱供給要素（１６）。
【請求項８】
前記加熱器トラック（４８）が、前記下部誘電体層（５０）上の外周に沿ってループを形成する蛇行パターンを有する、請求項１〜７のいずれか１項に記載の熱供給要素（１６）。
【請求項９】
前記加熱器トラック（４８）が、１０μｍ〜４０μｍの厚さを有する、請求項１〜８のいずれか１項に記載の熱供給要素（１６）。
【請求項１０】
前記上部誘電体層（１１０）が１０μｍ〜３０μｍの厚さを有し、前記下部誘電体層（５０）が１０μｍ〜３０μｍの厚さを有する、請求項１〜９のいずれか１項に記載の熱供給要素（１６）。
【請求項１１】
一対の熱センサパッド（６８、７４、７８及び８４）の間に横方向に配置された一対の熱センサ（７０及び７６、８０及び８６）を更に備える、請求項１〜１０のいずれか１項に記載の熱供給要素（１６）。
【請求項１２】
マイクロコントローラ（７５）に接続された複数の熱センサ（７０、７６、８０、８６）を更に備える、請求項１〜１１のいずれか１項に記載の熱供給要素（１６）。
【請求項１３】
前記加熱器トラック（４８）をマイクロコントローラ（７５）に接続するフィーダトラック（８８、９０）を更に備え、前記フィーダトラックの幅が、前記加熱器トラックの幅の５倍よりも大きい、請求項１〜１２のいずれか１項に記載の熱供給要素（１６）。
【請求項１４】
前記フェースプレート（３０）の前記皮膚接触面（３２）が硬質コーティングを含む、請求項２〜１３のいずれか１項に記載の熱供給要素（１６）。
【発明の詳細な説明】
【技術分野】
【０００１】
本発明は、剃毛用かみそりに関し、より詳細には、湿式剃毛のための加熱かみそりに関する。
【背景技術】
【０００２】
湿式剃毛式かみそりの使用者は、一般的に、剃毛中に自身の皮膚に接する温かい感触を高く評価する。温かさは、良好な感触を与え、より快適な剃毛体験をもたらす。剃毛中に温かさを感じさせるために種々の試みがなされてきた。例えば、剃毛クリームは、剃毛クリームがシェービングキャニスタから放出されると、発熱反応をして皮膚に温かさを付与するように調合されてきた。また、かみそりヘッドは、電池などの電源によって電力を供給される状態で、熱風、加熱要素、及び線スキャンレーザービームを使用して加熱されてきた。かみそりカートリッジ内部のかみそり刃もまた、加熱されてきた。加熱された刃に伴う欠点は、ユーザーの皮膚と接触する刃の表面積が、極小であることである。この極小な皮膚接触領域は、剃毛中のユーザーの皮膚を加熱することに関して比較的効率の低い機構を提供する。しかしながら、より多くの熱を皮膚に供給することにより、安全性の懸念（例えば、熱傷又は不快感）が発生する。
【発明の概要】
【発明が解決しようとする課題】
【０００３】
したがって、剃毛ストローク中に消費者に気付かれ得る、安全かつ信頼性の高い加熱を供給することが可能な剃毛用かみそりを提供することが求められている。
【課題を解決するための手段】
【０００４】
本発明は、広義には、皮膚接触面とその反対側の内面とを有するフェースプレートを備えた剃毛用かみそりのための単純かつ効率的な熱供給要素を特徴とする。加熱器トラックを有する加熱器が、上部誘電体層と下部誘電体層との間に配置される。下面を有する熱分散層がフェースプレートの内面に直接接触する。熱分散層の上面は、加熱器の下部誘電体層に直接接触する。
【０００５】
他の実施形態では、本発明は、広義には、上部誘電体層と下部誘電体層との間に配置された加熱器トラックを有する加熱器を備えた剃毛用かみそりのための単純かつ効率的な熱供給要素を特徴とする。加熱器トラックは、上部誘電体層及び下部誘電体層に接合された接着層によって、上部誘電体層と下部誘電体層との間に固定される。
【０００６】
本発明の１つ以上の実施形態の詳細を、添付図面及び以下の明細書に記述する。特定の実施形態は、本明細書において特に明記しない限り、概して開示されているが、組み合わされて明示的に例示又は特許請求の範囲に記載されていない本発明の要素又は構成要素を組み合わせることができることを理解される。本発明のその他の特徴及び利点は、明細書及び図面、並びに特許請求の範囲から明らかとなるであろう。
【図面の簡単な説明】
【０００７】
本明細書は、本発明としてみなされる主題を詳細に示しかつ明確に権利主張する特許請求の範囲をもって完結するが、本発明は、以下の説明文を添付の図面と併せて読むことで更に深い理解がなされるものと考えられる。
【図１】剃毛用かみそりシステムの可能な一実施形態の斜視図である。
【図２】図１の剃毛用かみそりシステムに組み込まれ得る熱供給要素の可能な一実施形態の組立図である。
【図３】図２の熱供給要素に組み込まれ得る加熱器の可能な一実施形態の平面図である。
【図４】図３の線４−４に概ね沿った、加熱器の断面図である。
【発明を実施するための形態】
【０００８】
図１を参照すると、剃毛用かみそりシステム１０を説明する本開示の可能な一実施形態が示されている。特定の実施形態では、剃毛用かみそりシステム１０は、ハンドル１４に装着された剃毛用かみそりカートリッジ１２を備えることができる。剃毛用かみそりカートリッジ１２は、全体的な望ましいコスト及び性能に応じてハンドル１４に固定的又は枢動可能に装着され得る。ハンドル１４は、熱供給要素１６に電力を供給する１つ以上の電池（図示せず）などの電源を保持してもよい。特定の実施形態では、熱供給要素１６は、アルミニウム又は鋼などの金属を含んでもよい。
【０００９】
剃毛用かみそりカートリッジ１２は、ハンドル１４に永続的に取り付けてもよく、又は取り外し可能に装着することで、剃毛用かみそりカートリッジ１２を交換可能とすることができる。剃毛用かみそりカートリッジ１２は、ガード２０と、キャップ２２と、キャップ２２とガード２０の間でハウジング１８に装着された１つ又は２つ以上の刃２４と、を備える、ハウジング１８を有することができる。ガード２０は、ハウジング１８の前方部分に向かっていてもよく、キャップ２２は、ハウジング１８の後方部分に向かっていてもよい（すなわち、ガード２０は、刃２４の前にあり、キャップは、刃２４の後ろにある）。ガード２０及びキャップ２２は、ガード２０及びキャップ２２に接する剃毛平面を規定し得る。ガード２０は、刃２４に対して概ね平行に延在する中実のバー又は分割されたバーであってもよい。特定の実施形態では、熱供給要素１６は、ガード２０の前方に配置することができる。
【００１０】
特定の実施形態では、ガード２０は、刃２４の前方に、剃毛ストローク中に皮膚を伸張させるための皮膚係合部材２６（例えば、複数のフィン）を備えてもよい。特定の実施形態では、皮膚係合部材２４は、ハウジング１８に対してインサート射出成形又は共射出成形されてもよい。しかしながら、接着剤、超音波溶接、又は機械的締結具などの他の既知の組立方法もまた使用されてもよい。皮膚係合部材２６は、ハウジング１８よりも軟質（すなわち、より低いデュロメータ硬度）の材料から成形されてもよい。例えば、皮膚係合部材２６は、約２０、３０又は４０〜約５０、６０又は７０のショアＡ硬度を有してもよい。皮膚係合部材２６は、熱可塑性エラストマー（ＴＰＥ）又はゴムで製造されてもよく、例としては、シリコーン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥのいずれかのブレンド（例えば、ポリエステル／ＳＥＢＳブレンド）が挙げられ得るが、これらに限定されない。特定の実施形態では、皮膚係合部材２６は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ＆Ｃｏ．ＫＧ（Ｗａｌｄｋｒａｉｂｕｒｇ，Ｇｅｒｍａｎｙ））で構成されてよい。より軟質の材料は、皮膚の伸張性を増すと共に、剃毛中の使用者の皮膚により好ましい感触をもたらすことができる。また、より軟質の材料により、剃毛中の使用者の皮膚に当たるハウジング１８及び／又はフィンのより硬い材料の不快な感触を感じ難くすることができる。
【００１１】
特定の実施形態では、刃２４は、ハウジング１８に装着され、１つ又は２つ以上のクリップ２８ａ及び２８ｂによって固定することができる。また、当業者に既知の他の組立方法を使用して、刃２４をハウジング１８へ固定及び／又は装着させてもよく、当該方法として、ワイヤラッピング、冷間成形、熱間かしめ、インサート成形、超音波溶接、及び接着剤が挙げられるが、これらに限定されない。クリップ２８ａ及び２８ｂは、熱を伝導し、刃２４の腐食の防止を助けるための犠牲アノードとして作用するアルミニウムなどの金属を含んでもよい。５枚の刃２４が図示されているが、ハウジング１８は、剃毛用かみそりカートリッジ１２の所望の性能及びコストに応じて、これよりも多い枚数又は少ない枚数の刃を有してもよい。
【００１２】
キャップ２２は、ハウジング１８に装着された別個の成形品（例えば、剃毛補助剤が充填されたリザーバ）又は押出成形された構成要素（例えば、押出成形された潤滑ストリップ）であってもよい。特定の実施形態では、キャップ２２は、皮膚を支持し剃毛面を規定するためのプラスチック又は金属のバーであってもよい。キャップ２２は、ハウジング１８と同じ材料で成形若しくは押出成形されてもよく、又は剃毛中の快適さを増すために、１つ又は２つ以上の水滲出性の剃毛補助剤材料を有するより潤滑な剃毛補助剤複合材料で成形又は押出成形されてよい。剃毛補助剤複合材料は、非水溶性ポリマーと、皮膚潤滑性の水溶性ポリマーと、を含んでもよい。使用することができる好適な非水溶性ポリマーとして、ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレン酢酸ビニルコポリマー、ポリプロピレン／ポリスチレンブレンドなどのブレンドが挙げられるが、これらに限定されず、Ｍｏｂｉｌ  ４３２４（Ｍｏｂｉｌ  Ｃｏｒｐｏｒａｔｉｏｎ）などの高耐衝撃性ポリスチレン（すなわち、ポリスチレン−ブタジエン）を有してもよい。
【００１３】
好適な皮膚潤滑性水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートを挙げることができる。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（明成化学工業株式会社（京都）から入手可能）として知られるポリエチレンオキシドが挙げられてよい。これらのポリエチレンオキシドは、約１０万〜６００万、例えば、約３０万〜５００万の分子量を有してもよい。ポリエチレンオキシドは、約５００万の平均分子量を有する、約４０〜８０％のポリエチレンオキシド（例えば、ＰＯＬＹＯＸ  ＣＯＡＧＵＬＡＮＴ）と、約３０万の平均分子量を有する約６０〜２０％のポリエチレンオキシド（例えば、ＰＯＬＹＯＸ  ＷＳＲ−Ｎ−７５０）と、のブレンドを含んでよい。かかるポリエチレンオキシドブレンドは、約１０重量％以下の、ＰＥＧ−１００などの低分子量（すなわちＭＷ＜１０，０００）のポリエチレングリコールを含有してもよい。
【００１４】
ひげ剃り補助複合材料は、必要に応じて、皮膚鎮静剤と、シクロデキストリン、ポリエチレングリコールなどの低分子量の水溶性放出促進剤（例えば、１〜１０重量％）、架橋ポリアクリル樹脂などの水膨潤性放出促進剤（例えば、２〜７重量％）、着色剤、酸化防止剤、防腐剤、殺菌剤、ひげ軟化剤、収れん剤、除毛剤、薬用成分、コンディショニング剤、加湿剤、冷却剤などとの包接複合体を含んでよい。
【００１５】
熱供給要素１６は、改善された剃毛体験をもたらすように剃毛中に皮膚の表面に熱を供給するためのフェースプレート３０を含んでもよい。特定の実施形態では、フェースプレート３０は、フェースプレート３０の耐久性及び耐引っかき性を改善するための窒化チタンなどの硬質コーティング（フェースプレート３０の材料よりも硬質）を備えた外側皮膚接触面３２を有してもよい。同様に、フェースプレート３０がアルミニウムから製造される場合、フェースプレート３０は陽極酸化処理を経てもよい。皮膚接触面の硬質コーティングはまた、フェースプレート３０の皮膚接触面３２の色を変化又は向上させるために使用されてもよい。熱供給要素１６は、剃毛用かみそりカートリッジ１２か又はハンドル１４の一部分のいずれかに装着され得る。以下で更に詳細に記載するように、熱供給要素１６は、ハウジング１８に取り付けられ、電源（図示せず）と導通してもよい。
【００１６】
図２を参照すると、図１の剃毛用かみそりシステム１０に組み込まれ得る熱供給要素１６の可能な一実施形態が示されている。フェースプレート３０は、可能な限り薄くてもよいが、機械的に安定であってもよい。例えば、フェースプレート３０は、約１００マイクロメートル〜約２００マイクロメートルの壁厚を有してもよい。フェースプレート３０は、鋼などの約１０〜３０Ｗ／ｍＫの熱伝導率を有する材料を含んでもよい。フェースプレート３０が鋼の薄片から製造される結果、フェースプレート３０は低い熱伝導率を有し、したがって、外周壁４４を通じた熱損失を最小限とし、皮膚接触面３２に向かう熱流を最大限とする助けとなる。上記の理由から、より薄い鋼片が好ましいが、フェースプレート３０は、約１６０〜２００Ｗ／ｍＫの範囲の熱伝導率を有する、より厚いアルミニウム片から構成されてもよい。熱供給要素１６は、マイクロコントローラ、及びハンドル１４内に配置された電源（図示せず）、例えば、再充電可能な電池と電気的に接触するブリッジ３５を有する加熱器（図示せず）を含んでもよい。
【００１７】
熱供給要素１６は、フェースプレート３０と、加熱器３４と、熱分散層３６と、圧縮性断熱層３８と、バックカバー４０とを含んでもよい。フェースプレート３０は、皮膚接触面３２（図１を参照）の反対側にある陥凹内面４２を有してもよく、この陥凹内面は、加熱器３４と熱分散層３６と圧縮性断熱層３８とを受容するように構成されている。外周壁４４は内面４２を画定することができる。外周壁４４は、１つ以上の脚部４６ａ、４６ｂ、４６ｃ及び４６ｄを有してもよく、これらの脚部は、内面４２に対して横向きにかつ内面から離れる方向に外周壁４４から延在している。例えば、図２は、外周壁４４から延びる４つの脚部４６ａ、４６ｂ、４６ｃ及び４６ｄを示している。以下でより詳細に説明するように、加熱器３４は、図示されていない加熱器トラック及び電気トラックを含んでもよい。
【００１８】
熱分散層３６は、フェースプレート３０の内面４２上にかつその内面と直接、接触して配置されてもよい。熱分散層３６は、フェースプレート３０の内面４２に直接接触する下面３７と、加熱器３４（例えば、図３及び図４に示す下部誘電体層）に直接接触する（下面３７と反対側にある）上面３９を有してもよい。熱分散層３６は、熱伝導率が高い材料の層として定義されるものであり、また圧縮性である。例えば、熱分散層３６は、黒鉛箔を含んでもよい。熱分散層３６の潜在的な利点には、横方向の熱流を改善し（加熱器３４からの熱供給をフェースプレート３０の内面４２全体に分散すること。この熱供給が皮膚接触面３２へと伝達される）、結果的に熱分布をより均一にし、ホットスポット及びコールドスポットを最小限にすることが含まれる。熱分散層３６は、十分な熱伝導又は熱伝達を促進するために、フェースプレート３０に平行な平面において約２００Ｗ／ｍＫ〜約１７００Ｗ／ｍＫ（好ましくは４００Ｗ／ｍＫ〜７００Ｗ／ｍＫ）、フェースプレート３０に垂直な平面において約１０Ｗ／ｍＫ〜５０Ｗ／ｍＫ、好ましくは１５Ｗ／ｍＫ〜２５Ｗ／ｍＫの異方性の熱伝導率を有してもよい。加えて、熱分散層３６の圧縮性により、熱分散層３６はフェースプレート３０の内面４２の不均一な表面及び加熱器３４の不均一な表面に適合することが可能となり、それによってより良好な接触及び熱伝達がもたらされる。熱分散層３６の圧縮性はまた、浮遊粒子が加熱器３４内へと押し入ることを最小限にし（熱分散層３６が加熱器よりも軟質となり得るため）、それによって加熱器３４に対する損傷が防止される。特定の実施形態では、熱分散層３６は、その元の厚さの約２０％〜約５０％だけ圧縮される黒鉛箔を含んでもよい。例えば、熱分散層３６は、約５０マイクロメートル〜約３００マイクロメートル、より好ましくは８０マイクロメートル〜２００マイクロメートルの圧縮厚さを有してもよい。
【００１９】
加熱器３４は、２つの圧縮性層の間に配置されてもよい。例えば、加熱器３４は、熱分散層３６と圧縮性断熱層３８との間に配置されてもよい。２つの圧縮性層は、加熱器３４に損傷を与えることなく加熱器３４を定位置にクランプすることを容易にし、それによって熱供給要素１６の固定及び組立てを改善し得る。圧縮性断熱層３８は、熱流をフェースプレート３０に向かって、かつバックカバー４０から離れる方向に向けるのに役立ち得る。したがって、浪費される熱をより少なくし、剃毛中に皮膚に到達し得る熱をより多くすることが可能となる。圧縮性断熱層３８は、例えば、０．３０Ｗ／ｍＫ未満、好ましくは０．１Ｗ／ｍＫ未満の低熱伝導率を有し得る。特定の実施形態では、圧縮性断熱層３８は、連続気泡又は独立気泡型の圧縮性発泡体を含み得る。圧縮性断熱層３８は、その元の厚さから２０％〜５０％、圧縮されてもよい。例えば、圧縮性断熱層３８は、約４００マイクロメートル〜約８００マイクロメートルの圧縮厚さを有してもよい。
【００２０】
バックカバー４０は、圧縮性断熱層３８の上部に取り付けられ、フェースプレート３０に固定されてもよい。したがって、加熱器３４、熱分散層３６、及び圧縮性断熱層３８は、フェースプレート３０とバックカバー４０との間で共に押圧されてもよい。熱分散層３６、加熱器３４、及び圧縮性断熱層３８は、外周壁４４内にぴったりと嵌まり得る。様々な層同士を共に押圧することにより、熱供給要素１６内の種々の層の境界面を横切る熱伝達がより効率的となり得る。この圧縮力がない場合、境界面を横切る熱伝達は不十分となる。更に、層同士を共に押圧することにより、様々な層の間における接着剤の使用など、二次組立てプロセスを省略することもできる。圧縮性断熱層３８は、外周壁４４内にぴったりと嵌まり得る。
【００２１】
図３を参照すると、加熱器３４の平面図が示されている。加熱器３４は、下部誘電体層５０の上に置かれた加熱器トラック４８を有してもよい。１つ以上の電気トラック５２、５４、５６、５８、６０、６２、６４及び６６はまた、それらが全て加熱器トラック４８から離間されるように下部誘電体層５０の上に置かれてもよい。１つ以上の電気トラック５２、５４、５６、５８、６０、６２、６４及び６６は、加熱器トラック４８によって形成されたループ（例えば、外周）内に配置されてもよい。電気トラック５２、５４、５６、５８、６０、６２、６４及び６６は、複数の熱センサ７０、７６、８０及び８６をマイクロコントローラ７５に接続することができる。マイクロコントローラは、熱センサ７０、７６、８０及び８６からの情報を処理し、それに従って温度を調整するように加熱器トラック４８への電力を調節してもよい。熱センサ７０は、センサパッド６８に熱的に接続されてもよい。同様に、熱センサ７６は、センサパッド７４に熱的に接続されてもよい。熱センサ７０及び７６並びにそれぞれのセンサパッド６８及び７４は、加熱器３４の一方の側における温度制御を容易にし得る。熱センサパッド８４は、熱センサ８６に熱的に接続されてもよい。同様に、センサパッド７８は熱センサ８０に熱的に接続されてもよい。熱センサ８０及び８６並びにそれぞれのセンサパッド７８及び８４は、加熱器３４のもう一方の側における温度制御を容易にし得る。熱センサ７０及び７６は、センサパッド６８と７４との間に横方向に配置することができる。熱センサ８０及び８６は、センサパッド７８と８４との間に横方向に配置することができる。熱センサ７０、７６、８０及び８６並びにセンサパッド６８、７４、７８及び８４の間隔は、加熱器３４のより効率的な加熱のための間隔を最適化し得るものである。
【００２２】
熱センサ７０、７６、８０及び８６のうちの１つ以上は、熱センサ７０、７６、８０及び８６のうちの１つ以上が故障した場合に重複した安全策を提供するために、回路基板７５に独立して接続されてもよい。熱センサ７０、７６、８０及び８６のうちの少なくとも１つは、加熱器トラック４８から約０．０５ｍｍ〜約０．１０ｍｍの距離だけ離間されてもよく、このことは、熱センサ７０、７６、８０及び８６が加熱器トラックから直接加熱されることを防止するのに役立ち得る。加えて、センサパッド６８、７４、７８及び８４はまた、図２に示す黒鉛箔層の正確な温度読み取りをもたらすように、加熱器トラック４８から離間されてもよい。センサパッド６８、７４、７８及び８４が、黒鉛箔層への熱的接続を改善することで温度を迅速かつ正確に測定することができる。センサパッド６８、７４、７８及び８４は、誘電体層５０の横方向縁部９２及び９４から離間していてもよい。例えば、センサパッドは、誘電体層の中心線「ＣＬ」から１０〜３０％、誘電体層５０の最も近い横方向縁部９２及び９４から約１０〜３０％、離間していてもよい。センサパッド６８、７４、７８及び８４のこの間隔及び配置は、熱センサ７０、７６、８０及び８６による正確な温度読取りを容易にすることになり得る。センサパッドは、銅の層を含んでもよい。特定の実施形態では、センサパッド６８、７４、７８及び８４はそれぞれ、０．３ｍｍ２を超える、例えば、約０．３ｍｍ２〜約０．４５ｍｍ２の最小表面積を有してもよい。センサパッド６８、７４、７８及び８４のうちの１つ以上の表面積が小さすぎる場合、熱センサ７０、７６、８０及び８６は、温度のわずかな変動を読み取ることができなくなる場合があり、かつ／又は応答時間がより長くなる場合がある。
【００２３】
加熱器３４は、ブリッジ３５の一部であり、マイクロコントローラを加熱器トラック４８に接続するフィーダトラック８８及び９０を含んでもよい。フィーダトラック８８及び９０の幅は、図２のフェースプレート３０内に配置された加熱器トラック４８の最大幅の５倍を超えてもよい。フィーダトラック８８及び９０の大きな幅は、加熱器トラック４８にエネルギーを供給し、また、電気抵抗、ひいては発生する熱量を最小化することによって、ブリッジ３５が過熱して触れられなくなることを防止するのに役立つ。ブリッジ３５は、剃毛用かみそりカートリッジ１２（図１を参照）の枢動を容易にするために、剃毛中に消費者に対して露出されてもよい。したがって、ブリッジ３５が過熱すると、消費者が誤って熱傷するおそれがある。更に、ブリッジ３５は、熱損失を防止するために絶縁されなくてもよい。したがって、ブリッジ３５が発生する熱を可能な限り小さくすることが有利となり得る。
【００２４】
下部誘電体層５０は、ポリイミド又はポリテトラフルオロエチレン、ポリ塩化ビニル、ポリエステル、又はポリエチレンテレフタレートを含んでもよい。加熱器トラック４８は、下部誘電体層５０の外周に沿ってループを形成する蛇行パターンを有する銅トラックを含んでもよい。加熱器トラック４８は、様々な幅を有してもよい。例えば、加熱器トラック４８は、加熱器３４の第１の領域９６ａ及び９６ｂにおいて約０．０５ｍｍ〜約０．０９ｍｍの幅を、加熱器３４の第２の領域９８ａ及び９８ｂにおいて約０．０７ｍｍ〜約０．１２ｍｍの幅を有してもよい。特定の実施形態では、加熱器トラック４８は、約０．１０ｍｍ〜約０．２ｍｍの幅を有する第３の領域１００ａ及び１００ｂを有してもよい。電気トラック５２、５４、５６、５８、６０、６２、６４及び６６、センサパッド６８、７４、７８及び８４、並びに熱センサ７０、７６、８０及び８４のために、空間は下部誘電体層５０上において限定され得る。したがって、発熱は、可能な限り最大化されかつ均一であるべきである。特定の実施形態では、加熱器トラック４８のレイアウトは対称であってもよい。例えば、加熱器トラック４８は、中心線「ＣＬ」の第１の側７２において、中心線「ＣＬ」の第２の側８２におけるのと同じレイアウトを有してもよい。
【００２５】
加熱器トラック４８の様々な幅により、より均一な発熱を実現するために、より大きな空所を有する領域においては抵抗をより低く、空所のほとんどない領域においては抵抗をより高くすることが可能となる。したがって、例えば、第２の領域９８ａ及び９８ｂ内のより大きな空所と比較して、より小さい空所、例えば第１の領域９６ａ及び９６ｂでは、より等価な量の熱が加熱器トラック４８によって発生され得る。第２の領域９８ａ及び９８ｂは、加熱器３４の中心線「ＣＬ」に向かって配置されてもよい。第１の領域９６ａは、誘電体層５０の一方の端部９４に向かって、熱センサ８０及び８６並びに／又はセンサパッド７８及び８４に関連付けられてもよい。同様に、第１の領域９６ｂは、誘電体層５０の反対側の端部において、熱センサ７０及び７６並びに／又はセンサパッド６８及び７４に関連付けられてもよい。例えば、センサパッド７８及び８４並びに／又は熱センサ８０及び８６は、第２の領域９８ａ内に位置する加熱器トラック４８の長さ８９ａ及び９１ａに対する幅よりも小さい幅を有する、加熱器トラック４８の一対の長さ８５ａ及び８７ａの間に配置されてもよい。第２の領域９８ａ及び９８ｂは、加熱器トラック４８の長さ８９ａ及び９１ａの間に配置された電気トラックのみ（例えば、センサ又はセンサパッドなし）を有してもよい。
【００２６】
第１の領域９６ｂは、誘電体層５０の一方の端部９２に向かって、熱センサ７０及び７６並びに／又はセンサパッド６８及び７４に関連付けられてもよい。同様に、第１の領域９６ｂは、誘電体層５０の反対側の端部において、熱センサ７０及び７６並びに／又はセンサパッド６８及び７４に関連付けられてもよい。例えば、センサパッド６８及び７４並びに／又は熱センサ７０及び７６は、第２の領域９８ｂ内に位置する加熱器トラック４８の長さ８９ｂ及び９１ｂに対する幅よりも小さい幅を有する、加熱器トラック４８の一対の長さ８５ｂ及び８７ｂの間に配置されてもよい。加熱器３４の各側面上の第２の領域９８ａ及び９８ｂは、加熱器トラック４８のそれらの長さの間に配置された任意のセンサパッド又は熱センサを有さなくてもよい。例えば、第２の領域９８ｂでは、電気トラック５２、５４、５６、５８、６０、６２、６４及び６６のみが加熱器トラック４８の長さ８９ｂと９１ｂとの間に配置されてもよい。
【００２７】
第３の領域１００ａ及び１００ｂが、誘電体層５０の横方向縁部９２及び９４に向かって位置してもよい。例えば、第３の領域１００ａは、熱センサ８６と横方向縁部９４との間に配置されてもよい。同様に、第３の領域１００ｂは、熱センサ７０と横方向縁部９２との間の誘電体層５０のもう一方の側に配置されてもよい。第３の領域１００ａ及び１００ｂは、熱センサ、熱パッド、及び電気トラックを欠いていてもよい。したがって、空所が他の電気部品によって制限されないため、第３の領域１００ａ及び１００ｂ内の加熱器トラック４８は、加熱器トラック４８の最も広い部分を有してもよい。第１の領域９６ａ及び９６ｂ、第２の領域９８ａ及び９８ｂ並びに第３の区域１００ａ及び１００ｂのレイアウトは、他の電気部品によって必要とされ得る空所を考慮するために、様々な幅を有することによって、熱のより均一な分散を可能にする。
【００２８】
特定の実施形態では、加熱器トラック４８は、約１．５〜約３オームの全抵抗を有してもよい。加熱器トラック４８は、下部誘電体層５０の外周に沿ってループを形成する蛇行パターンを有してもよい。例えば、加熱器トラック４８は、電気トラック（すなわち、電気トラックは、加熱器トラック４８によって形成されたループ内に配置される）、熱センサ及びセンサパッドの周囲に延在してもよい。熱センサ及びセンサパッドが熱を発生しないため、外周又はループを形成する蛇行パターン、並びに熱センサ７０、７６、８０、８６及びセンサパッド６８、７４、７８及び８４の領域のより低い抵抗により、センサの領域における十分な熱の供給が促進され得る。加熱器トラック４８の蛇行パターンは、ジグザグの形態を有してもよく、交互に右及び左に向きを変えてもよい。特定の実施形態では、加熱器トラック４８の蛇行パターンは、加熱器３４の所与の領域内に更に多くの加熱器トラック４８を設けるために、急激なほぼ９０°の方向変換（例えば、トレイン波又は方形波形状）を伴うライン又はコースを有してもよい。
【００２９】
図４を参照すると、図３の４−４線に概ね沿った、加熱器３４の断面図が示されている。加熱器３４は、下部誘電体層５０と、導電性層１０２（電気トラック５２、５４、５６及び５８、並びに加熱器トラック４８を含む）と、接着層１０４と、上部誘電体層１１０とを含んでもよい。導電性層１０２は、約１０μｍ〜約４０μｍの厚さを有してもよい（すなわち、電気トラック５２、５４、５６、５８及び加熱器トラック４８は、約１０μｍ〜約４０μｍの厚さを有する）。下部誘電体層５０は、約１０μｍ〜約３０μｍの厚さを有してもよい。上部誘電体層１１０は、約１０μｍ〜約３０μｍの厚さを有してもよい。導電性層１０２（電気トラック５２、５４、５６及び５８及び加熱器トラック４８を含む）は、下部誘電体層５０の上部に置かれてもよい。電気トラック５２、５４、５６及び５８と加熱器トラック４８との間に空所が存在するため、接着層１０４は、電気トラック５２、５４、５６と５８と加熱器トラック４８との間に流れて、脆弱導電性層１０２の完全性を改善し得る。接着層１０４は、上部誘電体層１１０と下部誘電体層５０との間に強固な結合を形成し得る。接着層１０４はまた、防水封止を形成する導電性層１０２（すなわち、加熱器トラック４８及び電気トラック）を被覆してもよい。加熱器３４を構成する様々な材料及び厚さは、それ自体の重量下で屈曲することを可能にし、したがって、加熱器３４をより展性にし、取扱い中及び組立て中に破断しにくくしている。加えて、加熱器３４は、その厚さが薄いがために、より少ない空間を占める。特定の実施形態では、上側誘電体層１１０及び／又は接着層１０４は透明であってもよい。例えば、加熱器トラック４８は、上部誘電体層１１０及び接着剤層１０４を通して可視であってもよいが、所望により着色されてもよい。
【００３０】
加熱器３４は、可撓性及び十分な熱伝達をもたらすように十分に薄くてもよい。加熱器３４（例えば、下部誘電体層５０）が厚すぎると、結果として熱伝達が不十分となり得る。加熱器３４はまた、図２のフェースプレート３０内での組立中に適合することが可能となるように十分な機械的安定性をもたらしてもよい。下部誘電体層は、熱供給要素１６の他の層との電気的接触を防止し得るが、それでいて十分な熱伝達を可能にし得る。例えば、下部ポリイミド誘電体層は、加熱器トラック及び電気トラックが黒鉛層又はフェースプレート３０の内面に直接接触することを防止し得る。
【００３１】
本明細書で開示する寸法及び値は、記載される正確な数値に厳密に限定されるものとして理解されるべきではない。その代わりに、特に指示がない限り、このような寸法はそれぞれ、記載される値とその値を囲む機能的に同等な範囲との両方を意味することが意図されている。例えば、「４０ｍｍ」として開示される寸法は、「約４０ｍｍ」を意味するものとする。
【図１】
0006916301.tif 000002
【図２】
0006916301.tif 000003
【図３】
0006916301.tif 000004
【図４】
0006916301.tif 000005